(57)【特許請求の範囲】
【請求項１】
便座支持具に枢支具を介して暖房便座を着脱可能に枢支し、枢支具に給電用トランスを備えた暖房便座装置において、前記枢支具は、便座支持具に設けた筒状の受具と、該受具に嵌合するように暖房便座に設けた筒状の嵌着具とを備えると共に、該受具を枢支軸芯方向に沿つて嵌合枢支位置から非嵌合位置まで進退可能に配置してあり、前記給電用トランスは、受具の筒内側に設けた１次側コイルと、嵌着具の筒内側に設けた２次側コイルとを接近させて備えると共に、両コイルを枢支軸芯上に配置してあることを特徴とする暖房便座装置。
【請求項２】
前記給電用トランスは、両コイルの枢支軸芯上に収納空間を形成し、該収納空間に信号用コネクタを内蔵し、該信号用コネクタは、前記１次側コイル側の収納空間に配置したコネクタ部材と、前記２次側コイル側の収納空間に配置したコネクタ部材とを備えた請求項１記載の暖房便座装置。
【請求項３】
前記給電用トランスは、１次側コイル及び２次側コイルの露出側を保護層で被覆した請求項１又は２記載の暖房便座装置。
【請求項４】
前記１次側コイル及び２次側コイルの少なくとも一方を他方に向かつてバネで付勢した請求項１，２又は３記載の暖房便座装置。
【発明の詳細な説明】
【０００１】
【発明の属する技術分野】
本発明は、暖房便座装置において着脱可能で且つ給電可能に枢支した構造に関するものである。
【０００２】
【従来の技術】
暖房便座装置としては、特開平３−２８６７２９号公報に、便器本体に固定した便座支持具から暖房便座を完全に分離できるように、便座支持具に暖房便座を着脱可能に枢支すると共に暖房便座に対する給電をコードレスで行うようにしたものが記載されている。この暖房便座装置は、図４に示す如く、便座支持具１に枢支具２を介して暖房便座３を着脱可能に枢支し、枢支具２に給電用トランス４を備えたものである。
【０００３】
該枢支具２は、便座支持具１に設けた膨出部５と、暖房便座３に設けた取付座６と、膨出部５及び取付座６へ抜き差し可能に挿着したヒンジピン７とを備えている。給電用トランス４は、便座支持具１の膨出部５に内蔵した１次側コイル４ａと、暖房便座３の取付座６に内蔵した２次側コイル４ｂとを備え、ヒンジピン７がトランスの鉄心を兼ねるようにしてある。
【０００４】
【発明が解決しようとする課題】
しかし、従来の暖房便座装置には、次の如き問題がある。
（ａ）ヒンジピン７は、トランスの鉄心を兼ねるため、高周波磁心材料で成形されいる。しかし、この材料で成形されたヒンジピン７は、強度的に弱いために折損し易く、暖房便座３の枢支ができなくなることがある。
（ｂ）ヒンジピン７は、給電用トランス４の安定した給電を確保するために、膨出部５及び取付座６に対して小さい隙間ばめで挿着する必要がある。しかし、便座支持具１の膨出部５及び暖房便座３の取付座６には成形等の誤差があるため、ヒンジピン７を小さい隙間ばめで挿着することは、暖房便座３の円滑な起倒を阻害することがある。更に、小さい隙間ばめでは、隙間に浸入したゴミ等により、暖房便座３の円滑な起倒を阻害することもある。
【０００５】
そこで、本発明は、上記問題点を解決するために、鉄心を兼ねる抜き差し可能なヒンジピンを用いることなく、便座を頑丈且つ円滑に起倒させるように枢支できる暖房便座装置の提供を目的とする。
【０００６】
【課題を解決するための手段】
本発明の要旨は、便座支持具に枢支具を介して暖房便座を着脱可能に枢支し、枢支具に給電用トランスを備えた暖房便座装置において、前記枢支具は、便座支持具に設けた筒状の受具と、該受具に嵌合するように暖房便座に設けた筒状の嵌着具とを備えると共に、該受具を枢支軸芯方向に沿つて嵌合枢支位置から非嵌合位置まで進退可能に配置してあり、前記給電用トランスは、受具の筒内側に設けた１次側コイルと、嵌着具の筒内側に設けた２次側コイルとを接近させて備えると共に、両コイルを枢支軸芯上に配置したことである。
【０００７】
本発明にあつては、便座支持具に設けた筒状の受具に、暖房便座に設けた筒状の嵌着具を嵌合して枢支するため、筒状の受具及び筒状の嵌着具の剛性を大きくすること並びに適度の嵌め合い状態とすることが可能となり、頑丈で且つ円滑な便座起倒のできる枢支構造が得られる。更に、本発明にあつては、受具及び嵌着具の各筒内側に設けた１次側コイルと２次側コイルとを接近させることにより、給電用トランスの安定した給電を確保することができる。
【０００８】
また、本発明はヒータ給電と信号の送受信とを併せて行うことができるように、前記給電用トランスは、両コイルの枢支軸芯上に収納空間を形成し、該収納空間に信号用コネクタを内蔵し、該信号用コネクタは、前記１次側コイル側の収納空間に配置したコネクタ部材と、前記２次側コイル側の収納空間に配置したコネクタ部材とを備えることもある。
【０００９】
更に、本発明はゴミ等から給電用トランスを保護するために、前記給電用トランスは、１次側コイル及び２次側コイルの露出側を保護層で被覆することもある。
【００１０】
更にまた、本発明は給電用トランスの１次側コイルと２次側コイルとを常に接近させて安定した給電を確保するために、１次側コイル及び２次側コイルの少なくとも一方を他方に向かつてバネで付勢することもある。
【００１１】
【発明の実施の形態】
以下、本発明に係る暖房便座装置を図１乃至図３に示す実施の形態に基づいて説明する。図１は暖房便座装置において便座の一部を切欠いて示す平面図、図２は枢支状態の主要部を拡大して示す正面断面図、図３は非枢支状態の主要部を拡大して示す正面断面図である。
【００１２】
暖房便座装置１０は、図１に示す如く、便座支持具１１に枢支具１２を介して暖房便座１３を着脱可能に枢支し、枢支具１２に給電用トランス１４を備えている。便座支持具１１は、便器本体（図示省略）に固定される基板部１７と、基板部１７の上に配置した箱部１８とを備え、箱部１８に便座ヒータ電力用高周波インバータ回路及び便座温度指示回路を有する本体側回路１９を内蔵してある。暖房便座１３は、便座ヒータ２０を内蔵すると共に、便座ヒータ電力復調回路及び便座温度制御回路を有する便座側回路２１を内蔵してある。
【００１３】
該枢支具１２は、便座支持具１１に設けた筒状の受具１５と、受具１５に嵌合するように暖房便座１３に設けた筒状の嵌着具１６とを備えている。受具１５及び嵌着具１６は、合成樹脂素材等で形成されている。便座支持具１１側の受具１５は、図２及び図３に示す如く、便座支持具１１に設けた案内筒部２３に内嵌され、枢支軸芯方向（矢符Ａ方向）に沿つて嵌合枢支位置Ｂ（図２に示す位置）から非嵌合位置Ｃ（図３に示す位置）までの間を進退するように配置してある。受具１５は、案内筒部２３に開設した長孔２４に案内される摘部２５を取り付けると共に、摘部２５を便座支持具１１の上面に突出させることにより、人が進退操作できるようにしてある。上記暖房便座１３側の嵌着具１６は、暖房便座１３の座面を形成する本体部と一体に成形され、便蓋用枢支部１６ａを必要に応じて突設してある。
【００１４】
前記給電用トランス１４は、受具１５の筒内側に設けた１次側コイル２７と、嵌着具１６の筒内側に設けた２次側コイル２８とからなり、両コイル２７，２８を枢支軸芯Ｄ上に同芯状態で配置してある。給電用トランス１４は、１次側コイル２７を前記本体側回路１９（図１参照）の便座ヒータ電力用高周波インバータ回路に接続すると共に、２次側コイル２８を前記便座側回路２１（図１参照）の便座ヒータ電力復調回路に接続してあり、便座ヒータ２０に給電するように構成してある。
【００１５】
該１次側コイル２７は、受具１５の筒内側に摺動自在に配置した保持具２９に保持させると共に、受具１５と保持具２９との間に配置したコイルバネ３０で付勢させて２次側コイル２８を押圧するようになつている。２次側コイル２８は、嵌着具１６の筒内側に配した保持具３１に保持されている。両コイル２７，２８は、コイルバネ３０の付勢で接近し、安定した給電を確保することができるようにしてある。
【００１６】
前記給電用トランス１４は、両コイル２７，２８の枢支軸芯Ｄ上に収納空間３２，３３を形成し、収納空間３２，３３に信号用コネクタ３４を内蔵することにより、ヒータ給電と温度制御信号の送受信とを併せて行うことができるようにしてある。信号用コネクタ３４は、１次側コイル側の収納空間３２に配置したコネクタ部材３５と、２次側コイル側の収納空間３３に配置したコネクタ部材３６とからなり、両部材３５，３６が枢支軸芯Ｄ上となるようにしてある。信号用コネクタ３４は、コネクタ部材３５，３６を双方向伝達ができる光通信用の素子から構成し、非接触式としてある。信号用コネクタ３４は、トランス１４の影響を受けにくいものであればよく、光通信方式以外に、超音波式や電磁誘導式等の非接触式のコネクタ方式に置換することも可能である。
【００１７】
該信号用コネクタ３４は、コネクタ部材３５を前記本体側回路１９（図１参照）の便座温度指示回路に接続すると共に、コネクタ部材３６を前記便座側回路２１（図１参照）の便座温度制御回路に接続してあり、便座ヒータ２０の温度制御を行うように構成してある。
【００１８】
前記給電用トランス１４は、１次側コイル２７及び２次側コイル２８の対向する露出側の夫々を、保護層３７で被覆してある。保護層３７は、給電用トランス１４の誘導や信号用コネクタ３４の通信を阻害しないように、透明な合成樹脂フイルム等から形成してある。給電用トランス１４は、保護層３７の被覆により、ゴミ等から保護されることになる。
【００１９】
暖房便座装置１０は、便座支持具１１側の筒状の受具１５に暖房便座１３側の筒状の嵌着具１６を嵌合して枢支するため、筒状の受具１５及び筒状の嵌着具１６の剛性を大きくして破損のない頑丈な枢支構造とすること並びに適度の嵌め合い状態にして円滑な便座起倒のできる枢支構造とすることができる。また、暖房便座装置１０は、受具１５及び嵌着具１６の各筒内側に設けた給電用トランス１４の１次側コイル２７と２次側コイル２８とを接近させることにより、安定した給電を確保することができる。
【００２０】
【発明の効果】
以上詳述の如く、本発明に係る暖房便座装置は、次の如き優れた効果を有する。
【００２１】
請求項１記載の本発明は、頑丈な枢支構造が得られると共に、給電用トランスの安定した給電を確保することができる。
【００２２】
請求項２記載の本発明は、安定してヒータ給電と信号送信と併せて行うことができる。
【００２３】
請求項３記載の本発明は、ゴミや飛散する尿等から給電用トランスを保護するため、安定したヒータ給電を確保することができる。
【図面の簡単な説明】
【図１】本発明に係る暖房便座装置の実施の形態を示すものであり、便座の一部を切欠いて示す平面図である。
【図２】同実施の形態における枢支状態の主要部を拡大して示す正面断面図である。
【図３】同実施の形態における非枢支状態の主要部を拡大して示す正面断面図である。
【図４】従来の暖房便座装置の主要部を拡大して示す断面図である。
【符号の説明】
１１…便座支持具
１２…枢支具
１３…暖房便座
１４…給電用トランス
１５…受具
１６…嵌着具
２７…１次側コイル
２８…２次側コイル
３０…コイルバネ（付勢）
３４…信号用コネクタ
３５…コネクタ部材
３６…コネクタ部材
３７…保護層
Ａ…枢支軸芯方向
Ｂ…嵌合枢支位置
Ｃ…非嵌合位置
【図１】
0003637469.tif 000002
【図２】
0003637469.tif 000003
【図３】
0003637469.tif 000004
【図４】
0003637469.tif 000005